(57)【要約】【課題】  航空灯火の地上型灯器は海上に設置され、カモメ、ウミネコ等の鳥類による糞で配光面が汚され、航空機の運用に支障が出るため、設置場所に適用し、メンテナンスを考慮した鳥害対策器具を必要とする。【解決手段】  地上型灯器のガラス取付け面の固定ビスを流用し、鳥害対策棒１を固定する。メンテナンスを考慮し、取付け箇所で可倒構造をスプリングバネにより設ける。メンテナンスで灯器の交換点検を行う時、可倒した鳥害対策棒を固定する逆Ｌ字型の器具２を、灯器後部の未使用ビスに固定し灯器保管箱への収納効率の改善を行う。これにより鳥害対策と灯器点検の交換作業効率が向上する。【選択図】図１
0003159488.tif 000002
【実用新案登録請求の範囲】
【請求項１】
航空灯火地上型灯器の正面ガラス固定ビスを利用し、鳥害防止の棒を設置する。
【請求項２】
地上型灯器の点検交換時に作業者の作業に支障がない様に、取付け箇所で可倒する構造とし、海上に設置することを前提として耐腐食性を考慮しアルミ素材とステンレスにて製造する。
【請求項３】
請求項１及び２で可倒式とした鳥害防止器具を保守作業時に、灯器本体に折り込んで固定するため、逆Ｌ字型の金具を灯器本体後部の左右ある一方のビスに取り付ける。
【請求項４】
以上の点をまとめ、航空灯火の地上型灯器の鳥害対策品として可倒式鳥害防止器具と可倒時の棒固定用逆Ｌ字型器具を本考案の鳥害防止器具とする。
【考案の詳細な説明】
【技術分野】
【０００１】  本考案は、航空灯火の地上型灯器に設置する、可倒型鳥害防止器具に関するものである。
【背景技術】
【０００２】  海上に設置されている航空灯火設備に以前からカモメやウミネコ等の鳥類が格好の留まり場所となっている。鳥類が灯器に留まると糞を落とされ配光面を汚される事により、着陸態勢の航空機パイロットへの適正な情報が伝わらない事を防がなければならない。【０００３】  鳥害対策としてテグス、針金等の設置が一般的ではあるが、航空灯火設備として特殊な条件の為、灯器の周囲に金属製のアングルを設置する事は承認できない。また冬場等の気象条件により強風が発生する為、強度的に確実な設備が要求される。【０００４】  ６ヶ月に１回灯器の点検整備を行う為、灯器を現地で取り外し交換を短時間で行わなければならない。そのため回収時に鳥害対策が作業者の負担とならない事も要求される。
【考案の概要】
【考案が解決しようとする課題】
【０００５】  灯器周囲にアングル等の設備を設置できない事、また強風時の対策及び潮風による腐食等による倒壊も考えられる為これらを考慮して、本体に設置する事が最善と考えられる。その為本考案品は軽量で塩害に耐えられる材質及び強度が要求される。【０００６】  点検整備での回収を前提として対策品を工具なしで可倒し安全に回収しなければならない。また回収時は対策品を回収箱内に収まる様にしなければならない。
【課題を解決するための手段】
【０００７】  上記課題を解決するために、本考案の可倒型鳥害防止器具は、灯器へアンテナ状の棒を取付け、鳥が灯器へ留まる際に足や羽に物が当たると嫌がる習性を利用する。対策品の固定場所については灯器本体正面にあるガラスパネル固定ビスに挟み込むことにより、灯器を改造等しなくても鳥害対策品を取り付けることが出来る。また本考案はアンテナ状の棒をスプリングバネに取り付ける事により工具なしで、収納可能とする。灯器回収時に棒部分を灯器に固定する為に、灯器後部のビスに棒先端部の引っ掛けを新設し灯器回収箱へ安全に効率よく回収出来るようにする。使用材料は海上での使用が前提の為、棒をアルミ製の丸棒と固定部分も銅製の金具を使用し、可倒部分にステンレスのスプリングバネとする事により、潮風による塩害対策も同時に行う。
【考案の効果】
【０００８】  決定的な対策がなく、航空機の安全な運行に支障をきたす恐れがある事から、本考案により鳥害対策として容易に設置でき、設置後の灯器点検整備作業で行う交換作業の効率改善もある。また耐久性が高く、製造コスト等極めて安価な鳥害防止対策器具としてその可能性は非常に高い。
【図面の簡単な説明】
【０００９】
【図１】本考案の可倒型鳥害防止器具及び引掛け器具の灯器への固定の説明図である。
【図２】本考案の可倒型鳥害防止器具の正面図及び背面図である。
【図３】鳥害防止器具の可倒部分の透視図である。
【図４】鳥害防止器具の可倒時固定器具の正面図及背面図である。
【図５】本考案の鳥害防止器具、可倒時の固定説明図である。
【図６】本考案の鳥害防止器具、可倒し保管ボックスへ収納時の説明図である。
【考案を実施するための形態】
【００１０】  本考案の鳥害防止器具の実施形態について説明する。図１は本実施形態にかかる可倒型鳥害防止器具を航空灯火の地上型灯器に設置した状態を説明する図。図２は鳥害防止器具の部材を説明する図。図３は鳥害対策器具の可倒部分を説明する図。図４は鳥害防止器具を収納時に引掛ける器具を説明する図。図５は鳥害対策器具を可倒した状態を説明する図。図６は灯器を回収箱に収納した状態を説明する図。なお、以下の実施例に示す寸法、材料、その他具体的な数値などは、本考案理解を容易とする為の例示に過ぎず、特に断る場合を除き、本考案を限定するものではない。
【００１１】  図１に示すように、航空灯火の地上型灯器に、１は可倒型鳥害防止器具を取り付けた状態を示す。１の取付けに関しては灯器前面のガラスパネル固定ビスを取外し、鳥害防止器具の丸穴に通し固定する。２は鳥害防止器具を可倒し棒部分を逆Ｌ字形の引掛けで固定し灯器回収箱へ収納する器具を示す。また２の引掛け器具は灯器の左右に有り、どちらに取り付けても効果は同じである。鳥が留まりやすい灯器前面ガラスパネル固定部分に本考案品を固定するため、留まることを確実に防止できる。
【００１２】  図２に示すように、可倒型鳥害防止器具の詳細を示す６は銅製の電設資材丸型端子を使用する。ビス取付けの穴の径は固定ビスに合わせたサイズを使用する。地上型灯器のガラス面固定ビスは３ｍｍの為、直径４ｍｍか５ｍｍの端子を使うのが望ましい。５は可倒を可能とする為スプリングバネを使用する。内部で固定部分６と棒部分４を分離しスプリングバネで自由に可倒する構造とする。材質は塩害対策としてステンレスを選定する。４は腐食防止及び重量軽減の為、アルミ棒材にて製作。長さに関しては、灯器の収納を考慮し適切な長さとする。目安として、灯器の全長が適切な長さとなる。３は灯器点検作業で交換時に作業者が、４の棒切断面での人身事故防止を目的とし、シリコン材、またはゴム材にて保護対策を行う。
【００１３】  図３に示すように、可倒部分のスプリングバネは可倒を可能とするために、内部に適切な空間を必要とする。これにより、４の棒部分の無理な力による折損防止と点検作業による収納性の向上を目的としている。
【００１４】  図４に示すように鳥害防止器具の棒部分を収納する際に灯器本体に可倒し固定するための器具を示す。９は灯器の後部ビスに固定するため、ビスに対応した径の銅製電設資材丸型端子を使用する。８は可倒した棒部分を引掛けのため、適切な角度をつける事を必要とします。材質はアルミ棒材を使用する事により、鳥害防止器具４と同材料としコストを下げる。７は灯器交換作業での作業者事故防止のためシリコン材、またはゴム材にて保護対策を行う。
【００１５】  図５に示すように、鳥害防止器具を取り付け、灯器の点検交換作業のため、可倒した状態を示す。灯器本体と本考案の鳥害防止器具が一体となり、点検作業の向上があがる。
【００１６】  図６に示すように、図５で鳥害防止器具を可倒し灯器保管箱に収納した状況を示す。
【実施例】
【００１７】  以下、添付図面に従って一実施例を説明する。図１の航空灯火の地上型灯器、前面のガラス固定ビスを取外し、本考案の１可倒型鳥害防止器具を垂直に取付ける。また灯器後部に可倒時固定用、２引掛器具を同様にビスで固定する。【００１８】  点検交換時及び収納時は図面５のように可倒後、図面６のように保管箱へ収納する。
【符号の説明】
【００１９】１  可倒型鳥害防止器具  本体
２  可倒型鳥害防止器具  可倒時固定器具
３  鳥害防止器具  保護用シリコン材
４  鳥害防止器具  棒部分
５  鳥害防止器具  可倒用スプリングコイル
６  鳥害防止器具  固定部品
７  可倒時固定器具  保護用シリコン材
８  可倒時固定金具  逆Ｌ字棒
９  可倒時固定金具  固定部品
【図１】
0003159488.tif 000003
【図２】
0003159488.tif 000004
【図３】
0003159488.tif 000005
【図４】
0003159488.tif 000006
【図５】
0003159488.tif 000007
【図６】
0003159488.tif 000008
【手続補正書】
【提出日】平成21年5月21日(2009.5.21)
【手続補正１】
【補正対象書類名】実用新案登録請求の範囲
【補正対象項目名】全文
【補正方法】変更
【補正の内容】
【実用新案登録請求の範囲】
【請求項１】
航空灯火地上型灯器本体に、可倒型鳥害防止器具を取り付け、地上型灯器へ鳥が留まる事を防止及び収納時のコンパクト化が可能です。
【請求項２】
可倒型鳥害防止器具はアンテナ部分をアルミ丸棒で製作し軽量かつ航空機事故等での損傷を最小限とする。
【請求項３】
アンテナ先端部分をシリコン材またはゴム材で保護し点検作業者の目及び人体に怪我等しないように考慮している。
【請求項４】
電設資材の丸型端子状の金具を可倒スプリング部分に固定し、地上型灯器の前面ガラスのビスに考案の可倒型鳥害防止器具を固定する構造である。
【請求項５】
可倒部分の耐腐食性を考慮しステンレスのスプリングを使用、一定以上の力で折れる構造とし地上型灯器後方のアンテナ固定器具に引っ掛ける事でコンパクトになり、作業者の作業効率と安全を考慮する構造。
【手続補正２】
【補正対象書類名】明細書
【補正対象項目名】全文
【補正方法】変更
【補正の内容】
【考案の詳細な説明】
【技術分野】
【０００１】  本考案は、航空灯火の地上型灯器に設置する、可倒型鳥害防止器具に関するものである。
【背景技術】
【０００２】  海上に設置されている航空灯火設備に以前からカモメやウミネコ等の鳥類が格好の留まり場所となっている。
鳥類が灯器に留まると糞を落とされ配光面の汚れにより、着陸態勢の航空機パイロットへの適正な情報が伝わらない事を防がなければならない。【０００３】  鳥害対策としてテグス、針金等の設置が一般的ではあるが、航空灯火設備として特殊な条件の為、灯器の周囲に金属製のアングル等を設置する事は承認できない。
また気象条件により強風が発生する為、強度的に確実な設備が要求される。【０００４】  ６ヶ月に１回地上型灯器の点検整備を行う為、灯器を現地で取り外し交換を短時間で行わなければならない。
そのため回収時に鳥害対策が作業者の負担とならない事も要求される。
【考案の開示】
【考案が解決しようとする課題】
【０００５】  灯器周囲にアングル等の設備を設置できない事、また強風時の対策及び潮風による腐食等による倒壊も考えられる為これらを考慮して、本体に設置する事が最善と考えられる。その為本考案品は軽量で塩害に耐えられる材質及び強度が要求される。【０００６】  点検整備での回収を前提として考案品を工具なしで可倒し安全に回収しなければならない。また回収時に箱内に収まる様にしなければならない。
【課題を解決するための手段】
【０００７】  上記課題を解決するために、本考案の可倒型鳥害防止器具は、灯器へアンテナ状の棒を取付け、鳥が灯器へ留まる際に足や羽に物が当たると嫌がる習性を利用する。対策品の固定場所については灯器本体正面のガラスパネル固定ビスに挟み込むことにより、灯器を改造しなくても鳥害対策品を取り付けることが可能。
また本考案はアンテナ状の棒をスプリングバネに取り付ける事により工具なしで、収納可能とする。
灯器後部のビスに逆Ｌ字型の鳥害防止器具引っ掛け固定器具を付ける事により、点検整備時に灯器回収箱へ安全に効率よく回収出来るようにする。
使用材料は海上での使用が前提の為、棒をアルミ製の丸棒と固定部分も銅製の金具を使用し、可倒部分にステンレスのスプリングバネとする事により、潮風による塩害対策も同時に行う。
【考案の効果】
【０００８】  決定的な対策がなく、航空機の安全な運行に支障をきたす恐れがある事から、本考案により鳥害対策として容易に設置でき、設置後の灯器点検整備作業で行う交換作業の効率改善もある。また耐久性が高く、製造コスト等極めて安価な鳥害防止対策器具としてその可能性は非常に高い。
【考案を実施するための最良の形態】
【０００９】  本考案の鳥害防止器具の実施形態について説明する。
図１は可倒型鳥害防止器具本体を示す。
図２は本実施形態にかかる可倒型鳥害防止器具を航空灯火の地上型灯器に設置した状態を説明する図。
図３は鳥害防止器具の部材を説明する図。
図４は鳥害対策器具の可倒部分を説明する図。
図５は鳥害防止器具を収納時に引掛けた状態を説明する図。
図６は灯器を回収箱に収納した状態を説明する図。
なお、以下の実施例に示す寸法、材料、その他具体的な数値などは、本考案理解を容易とする為の例示に過ぎず、特に断る場合を除き、本考案を限定するものではない。【００１０】  図２に示すように、航空灯火の地上型灯器に、「１」可倒型鳥害防止器具を取り付けた状態を示す。「１」の取付けに関しては灯器前面のガラスパネル固定ビスに鳥害防止器具の丸穴に通し固定する。「２」は鳥害防止器具を可倒し棒部分を逆Ｌ字形の引掛けで固定し灯器回収箱へ収納する器具を示す。鳥が留まりやすい灯器前面ガラスパネル固定部分に本考案品を固定するため、留まることを確実に防止できる。【００１１】  図３に示すように、可倒型鳥害防止器具の詳細を示す「６」は銅製の電設資材丸型端子又は同等品を使用する。ビス取付け穴の径は固定ビスに合わせたサイズを使用する。地上型灯器のガラス面固定ビスは３ｍｍの為、直径４ｍｍか５ｍｍの端子を使うのが望ましい。「５」は可倒を可能とする為スプリングバネを使用する。内部で固定部分「６」と棒部分「４」を分離しスプリングバネで自由に可倒する構造とする。材質は塩害対策としてステンレスを選定する。「４」は腐食防止ステンレスまたはアルミの棒材にて製作。長さに関しては、灯器の収納を考慮し適切な長さとする。目安として、灯器の全長が適切な長さとなる。
「３」は灯器点検作業で交換時に作業者が、「４」の棒切断面での人身事故防止を目的とし、シリコン材、またはゴム材にて保護対策を行う。【００１２】  図４に示すように、可倒部分のスプリングバネは可倒を可能とするために、内部に適切な空間を必要とする。これにより、「４」の棒部分の無理な力による折損防止と点検作業による収納性の向上を目的としている。【００１３】  図５に示すように、鳥害防止器具の棒部分を収納する際に灯器本体に可倒し固定した状態を示す。灯器の後部ビスに固定するため、可倒型鳥害対策器具と同様に銅製電設資材丸型端子を使用し、ステンレスまたはアルミ棒材を使用する。
灯器本体と本考案の可倒型鳥害防止器具が一体となり、点検作業の向上があがる。【００１４】  図６に示すように、図５で鳥害防止器具を可倒し灯器保管箱に収納した状況を示す。
【実施例】
【００１５】  以下、添付図面に従じて一実施例を説明する。図２の航空灯火の地上型灯器、前面のガラス固定ビスを取外し、本考案の「１」可倒型鳥害防止器具を垂直に取付ける。また灯器後部に可倒時固定用、「２」引掛器具を同様にビスで固定する。【００１６】  点検交換時及び収納時は図面５のように可倒後、図面６のように保管箱へ収納する。
【図面の簡単な説明】
【００１７】
【図１】可倒型鳥害防止器具本体を示す。
【図２】本考案の可倒型鳥害防止器具及び引掛け器具を灯器に固定を説明する図である。
【図３】本考案の可倒型鳥害防止器具の正面図及び背面図である。
【図４】本考案の可倒型鳥害防止器具の可倒部分の透視図である。
【図５】本考案の可倒型鳥害防止器具、可倒時の固定説明図である。
【図６】本考案の可倒型鳥害防止器具、可倒し保管ボックスへ収納時の説明図である。
【符号の説明】
【００１８】  １  可倒型鳥害防止器具  本体
２  可倒型鳥害防止器具  可倒時固定器具
３  可倒型鳥害防止器具  保護用シリコン材
４  可倒型鳥害防止器具  棒部分
５  可倒型鳥害防止器具  可倒用スプリングコイル
６  可倒型鳥害防止器具  固定部品
【手続補正３】
【補正対象書類名】図面
【補正対象項目名】全図
【補正方法】変更
【補正の内容】
【図１】
0003159488.tif 000009
【図２】
0003159488.tif 000010
【図３】
0003159488.tif 000011
【図４】
0003159488.tif 000012
【図５】
0003159488.tif 000013
【図６】
0003159488.tif 000014
【手続補正書】
【提出日】平成21年8月25日(2009.8.25)
【手続補正１】
【補正対象書類名】実用新案登録請求の範囲
【補正対象項目名】全文
【補正方法】変更
【補正の内容】
【実用新案登録請求の範囲】
【請求項１】
可倒型鳥害防止器具を本体に取り付けたことを特徴とする航空灯火地上型灯器。
【請求項２】
前記可倒型鳥害防止器具は、アンテナ部分を備え、該アンテナ部分をアルミ製丸棒としたことを特徴とする請求項１に記載の航空灯火地上型灯器。
【請求項３】
前記アンテナ部分の先端部分をシリコン材またはゴム材で保護したことを特徴とする請求項２に記載の航空灯火地上型灯器。
【請求項４】
前記可倒型鳥害防止器具がアンテナ部分よりも基端側にステンレス製のスプリングを備え、前記航空灯火地上型灯器本体の後方にアンテナ固定器具を備え、前記可倒型鳥害防止器具を前記アンテナ固定器具に係止可能としたことを特徴とする請求項１から請求項３のいずれかに記載の航空灯火地上型灯器。
【請求項５】
丸型端子状の金具を、前記スプリング基端側に取り付けるとともに、該金具を、前記航空灯火地上型灯器の本体に取り付けられた前面ガラスの固定ビスにより、前記航空灯火地上型灯器本体に固定したことを特徴とする請求項４に記載の航空灯火地上型灯器。
【手続補正書】
【提出日】平成21年12月11日(2009.12.11)
【手続補正１】
【補正対象書類名】実用新案登録請求の範囲
【補正対象項目名】請求項１
【補正方法】変更
【補正の内容】
【請求項１】
航空灯火地上型灯器本体に棒状の可倒型鳥害防止器具を取り付けたことを特徴とする航空灯火地上型灯器。